(57)【要約】【課題】耐障害性能を改善した通信システムを提供すること。【解決手段】実施形態の通信中継装置の第１通信手段は、第１通信プロトコルを用いて、第１通信網を介して通信を行う。切替手段は、前記第１通信網への接続における通信障害を検出し、前記第１通信手段に代えて前記第２通信手段に通信手段を切り替える。これにより第２通信手段は、第２通信プロトコルを用いて、第２通信網及びゲートウェイサーバを介して前記第１通信網に接続可能に通信を行う。これらと並行して情報付加手段は、第２通信網に接続されているサービスサーバが提供しているサービス情報を、第２通信手段を介して受信して第１通信装置と通信を行う第２通信装置に出力する。【選択図】図２
2013183424.tif 000002
【特許請求の範囲】
【請求項１】
第１通信プロトコルを用いて、第１通信網を介して通信を行う第１通信手段と、
第２通信プロトコルを用いて、第２通信網及びゲートウェイサーバを介して前記第１通信網に接続可能に通信を行う第２通信手段と、
前記第１通信網への接続における通信障害を検出し、前記第１通信手段に代えて前記第２通信手段に通信手段を切り替える切替手段と、
前記第２通信網に接続されているサービスサーバが提供しているサービス情報を、前記第２通信手段を介して受信して前記第１通信装置と通信を行う第２通信装置に出力する情報出力手段と、
を備える通信中継装置。
【請求項２】
前記情報出力手段は、前記第１通信手段あるいは前記第２通信手段を介して取得した前記第１通信網の情報に前記サービス情報を付加する情報付加手段を備える、
請求項１記載の通信中継装置。
【請求項３】
前記サービス情報を前記第２通信装置に提示させる指示を行う指示手段を備える、
請求項１または請求項２記載の通信中継装置。
【請求項４】
前記第２通信網は、移動体無線通信網である、
請求項１乃至請求項３のいずれかに記載の通信中継装置。
【請求項５】
前記移動体無線通信網は、ＰＨＳ規格に則った通信網である、
請求項４記載の通信中継装置。
【請求項６】
前記第１通信網は、ＩＰ通信網である、
請求項１乃至請求項５のいずれかに記載の通信中継装置。
【請求項７】
第１通信網に接続された第１通信装置と、
第２通信装置に接続され、第１通信プロトコルを用いて、前記第１通信網を介して通信を行わせるともに、第２通信プロトコルを用いて、第２通信網及びゲートウェイサーバを介して前記第１通信網に接続可能に通信を行わせる通信中継装置と、を備え、
前記通信中継装置は、前記第１通信プロトコルを用いて、第１通信網を介して通信を行う第１通信手段と、
前記第２通信プロトコルを用いて、第２通信網及びゲートウェイサーバを介して前記第１通信網に接続可能に通信を行う第２通信手段と、
前記第１通信網への接続における通信障害を検出し、前記第１通信手段に代えて前記第２通信手段に通信手段を切り替える切替手段と、
前記第２通信網に接続されているサービスサーバが提供しているサービス情報を、前記第２通信手段を介して受信して前記第１通信装置と通信を行う第２通信装置に出力する情報付加手段と、
を備える、通信システム。
【請求項８】
第１通信網に接続されている第１通信装置と、自己に接続されている第２通信装置と、を、第１通信プロトコルを用いて前記第１通信網を介して通信を行わせ、あるいは、第２通信プロトコルを用いて第２通信網及びゲートウェイサーバを介して接続した前記第１通信網を介して通信を行わせる通信中継装置において実行される制御方法であって、
第１通信プロトコルを用いて、第１通信網を介して通信を行う第１通信過程と、
第２通信プロトコルを用いて、第２通信網及びゲートウェイサーバを介して前記第１通信網に接続可能に通信を行う第２通信過程と、
前記第１通信網への接続における通信障害を検出し、前記第１通信過程に代えて前記第２通信過程に切り替える切替過程と、
前記第２通信網に接続されているサービスサーバが提供しているサービス情報を、前記第２通信過程により受信して前記第１通信装置と通信を行う第２通信装置に出力する情報付加過程と、
を備える制御方法。
【請求項９】
第１通信網に接続されている第１通信装置と、自己に接続されている第２通信装置と、を、第１通信プロトコルを用いて前記第１通信網を介して通信を行わせ、あるいは、第２通信プロトコルを用いて第２通信網及びゲートウェイサーバを介して接続した前記第１通信網を介して通信を行わせる通信中継装置をコンピュータにより制御するための制御プログラムであって、
前記コンピュータを、
第１通信プロトコルを用いて、第１通信網を介して通信を行う第１通信手段と、
第２通信プロトコルを用いて、第２通信網及びゲートウェイサーバを介して前記第１通信網に接続可能に通信を行う第２通信手段と、
前記第１通信網への接続における通信障害を検出し、前記第１通信過程に代えて前記第２通信過程に切り替える切替手段と、
前記第２通信網に接続されているサービスサーバが提供しているサービス情報を、前記第２通信手段を介して受信して前記第１通信装置と通信を行う第２通信装置に出力する情報付加手段と、
して機能させる制御プログラム。
【発明の詳細な説明】
【技術分野】
【０００１】
本発明の実施形態は、通信中継装置、通信システム、制御方法及び制御プログラムに関する。
【背景技術】
【０００２】
携帯電話、ＰＨＳインフラが進展する中、ますます次世代の携帯電話、ＰＨＳ分野における技術が注目されている。
携帯電話、ＰＨＳインフラにおいて、携帯電話、ＰＨＳに相当する無線端末装置は、無線で通信可能な範囲に存在する近隣の無線基地局装置と通信を行い、ＩＰ網、ＰＨＳ網などの回線網を介して他の無線端末装置、または、固定端末装置と接続することにより、ユーザ通信である音声通信、データ通信を実現している。
また、回線網への接続の障害の発生に際して通信パスを迂回させることが様々な形態の通信システムにおいて行われている（例えば、特許文献１参照）。
【先行技術文献】
【特許文献】
【０００３】
【特許文献１】特開２００１−３３３１１４号公報
【発明の概要】
【発明が解決しようとする課題】
【０００４】
ところで、回線網への接続の障害の発生に際して、冗長性を持たせることは好ましいものの、障害の発生がない場合には、それらの構成は、全く意味をなさないこととなる。
そこで、本発明の目的は、回線網への接続における耐障害性を改善するとともに、冗長構成の有効利用を図ることが可能な通信中継装置、通信システム、制御方法及び制御プログラムを提供することにある。
【課題を解決するための手段】
【０００５】
実施形態の通信中継装置の第１通信手段は、第１通信プロトコルを用いて、第１通信網を介して通信を行う。
切替手段は、前記第１通信網への接続における通信障害を検出し、前記第１通信手段に代えて前記第２通信手段に通信手段を切り替える。
これにより第２通信手段は、第２通信プロトコルを用いて、第２通信網及びゲートウェイサーバを介して前記第１通信網に接続可能に通信を行う。
これらと並行して情報出力手段は、第２通信網に接続されているサービスサーバが提供しているサービス情報を、第２通信手段を介して受信して第１通信装置と通信を行う第２通信装置に出力する。
【図面の簡単な説明】
【０００６】
【図１】図１は、実施形態の通信装置が適用される通信システムの概要構成ブロック図である。
【図２】図２は、ＩＰアダプタの概要構成ブロック図である。
【図３】図３は、情報変換部２７の概要構成ブロック図である。
【図４】図４は、ＰＨＳサービス情報非表示状態におけるＩＳＤＮ端末装置１７−１１の外観図である。
【図５】図５は、サービス情報の提供処理の処理シーケンス図である。
【図６】図６は、ＰＨＳサービス情報表示状態におけるＩＳＤＮ端末装置１７−１１の外観図である。
【発明を実施するための形態】
【０００７】
次に図面を参照して、実施形態について説明する。
図１は、実施形態の通信装置が適用される通信システムの概要構成ブロック図である。
通信システム１０は、ＩＰパケットを伝送するベストエフォート型の通信ネットワークであるＩＰ網１１と、ＰＨＳ通信機能を有し、ＩＰ網１１に接続された通信装置としてのＩＰアダプタ１２−１、１２−２と、ＰＨＳ（Personal  Handy  phone  system）網１３と、ＩＰ網１１とＰＨＳ網１３との間の中継を行うゲートウェイサーバ１４と、ＰＨＳ網１３を介してＰＨＳ端末１５−１、１５−２、ＩＰアダプタ１２−１、１２−２等に各種サービス情報を提供するＰＨＳサービスサーバ１６と、ＩＰアダプタに接続されて、ＩＰ網１１を介して音声通話を行うことが可能なＩＳＤＮ端末装置（電話端末装置）１７−１、１７−２と、ＰＨＳ端末１５−１、１５−２、ＩＰアダプタ１２−１、１２−２と、ＰＨＳ網１３との間を中継するＰＨＳ基地局１８−１、１８−２と、を備えている。
【０００８】
図２は、ＩＰアダプタの概要構成ブロック図である。
ここで、ＩＰアダプタ１２−１と、ＩＰアダプタ１２−２は同一構成であるので、ＩＰアダプタ１２−１を例として説明する。
【０００９】
ＩＰアダプタ１２−１は、ＩＰ網１１との間の通信インタフェース動作を行うＩＰインタフェース（Ｉ／Ｆ）部２１と、ＩＰインタフェース部２１の通信状態に基づいてＩＰ網１１への接続ができなくなる通信障害が発生したことを検出する障害検出部２２と、障害検出部２２において障害が検出された場合に通信経路の迂回を指示する迂回指示信号ｂｙｐを出力する迂回指示部２３と、ＰＨＳ網１３との間の通信インタフェース動作を行うＰＨＳインタフェース（Ｉ／Ｆ）部２４と、ＩＳＤＮ端末装置１７−１１、１７−１２との通信インタフェース動作を行うＩＳＤＮインタフェース（Ｉ／Ｆ）部２５と、迂回指示部２３の指示である迂回指示信号ｂｙｐに基づいて、非迂回時はＩＰインタフェース部２１をＩＳＤＮインタフェース部２５に接続し、迂回時は、ＰＨＳインタフェース部２４をＩＳＤＮインタフェース部２５に接続に接続するスイッチ２６と、ＰＨＳインタフェース部を介してＰＨＳサービスサーバ１６からＰＨＳ網１３を介して提供される各種サービス情報を常時受信し、ＩＳＤＮインタフェース部を介してＩＳＤＮ端末装置１７−１のディスプレイ（表示部）に表示可能な表示データに変換してＩＳＤＮインタフェース部２５に出力する情報変換部２７と、を備えている。
【００１０】
図３は、情報変換部２７の概要構成ブロック図である。
情報変換部２７は、受信したサービス情報データの内容を抽出、解析するＰＨＳサービス情報解析部３１と、ＰＨＳサービス情報解析部３１の制御下で、受信したサービス情報データを表示情報データあるいは音声情報（スピーカ出力情報）データなどに変換する複数の個別制御部３２と、個別制御部３２により変換された表示情報あるいは音声情報に基づいてＩＳＤＮインタフェース部２５に対して表示指示データあるいは音声出力指示データを出力して指示を行う端末指示部３３と、を備えている。
【００１１】
次に実施形態の動作を説明する。
初期状態において、スイッチ２６は、ＩＰインタフェース部２１をＩＳＤＮインタフェース部２５に接続した状態となっているものとする。
以下の説明においては、ユーザＡが電話端末装置として機能するＩＳＤＮ端末装置１７−１１を使用して、電話端末装置として機能するＩＳＤＮ端末装置１７−２１を使用しているユーザＢに対して電話（ＩＰ電話）をかける場合について説明する。
【００１２】
まず、ＩＰ網１１への接続に障害が発生しておらず、ＰＨＳサービスサーバ１６がサービス情報を提供していない場合について説明する。
ユーザＡがＩＳＤＮ端末装置１７−１１を用いて発呼操作を行うと、ＩＰアダプタ１２−１のＩＳＤＮインタフェース部２５に当該発呼操作に対応するデータ（通話先等を特定するデータ）が入力される。
【００１３】
このとき、障害検出部２２は、ＩＰインタフェース部２１の通信状態に基づいてＩＰ網１１において通信ができなくなる通信障害が発生していないことを検出しているので、迂回指示信号ｂｙｐを非迂回時状態とする。これにより、スイッチ２６は、迂回指示信号ｂｙｐに基づいて、非迂回時であるので、ＩＰインタフェース部２１をＩＳＤＮインタフェース部２５に接続したままとする。
【００１４】
したがって、発呼操作に対応するＩＳＤＮインタフェース部２５の出力データは、ＩＰインタフェース部２１に出力される。
この結果、ＩＰインタフェース部２１は、ＩＳＤＮインタフェース部２５の出力データである制御データ及び音声信号をＶｏＩＰ（Voice  over  Internet  Protocol）にしたがってパケット化して、パケットデータとしてＩＰ網１１に出力する。
【００１５】
これによりＩＰ網１１に属している図示しないＩＰ電話サーバは、受信したパケットデータを参照して、接続先のＩＳＤＮ端末装置１７−２１が接続されているＩＰアダプタ１２−２を特定して、通信経路を確立し、パケットデータを転送する。
そして、ＩＰアダプタ１２−２のＩＰインタフェース部２１は、ＩＰ網１１との間の通信インタフェース動作を行い、受信した複数のパケットデータを並べ替えるとともに、デパケット化して、ＩＳＤＮインタフェース部２５で処理可能なデータ形式の受信データとする。
【００１６】
さらに、ＩＰインタフェース部２１は、スイッチ２６を介して、受信データをＩＳＤＮインタフェース部２５に出力する。
ＩＳＤＮインタフェース部２５は、受信データが入力されると、受信データに基づいてＩＳＤＮ端末装置１７−２１が処理可能な信号に変換を行い出力する。
【００１７】
この結果、ＩＳＤＮ端末装置１７−１１の発呼がＩＳＤＮ端末装置１７−２１に着呼した状態となり、ユーザＡとユーザＢとは通話可能となる。
【００１８】
図４は、ＰＨＳサービス情報非表示状態におけるＩＳＤＮ端末装置１７−１１の外観図である。
上述したように、ＩＳＤＮ端末装置１７−１１の発呼がＩＳＤＮ端末装置１７−２１に着呼した状態となると、ＩＳＤＮ端末装置１７−１１のディスプレイ４１には、ＩＳＤＮ端末装置１７−１１の図示しないコントローラにより、通話中の表示、図４の例の場合、「０３−３３４−ＸＸＸＸ  ツウワチュウ」の文字列が表示されることとなる。
【００１９】
次にＩＰ網１１への接続に障害が発生しておらず、ＰＨＳサービスサーバ１６がサービス情報を提供している場合について説明する。
この場合において、着呼状態となるまでの動作については、上述した場合と同様であるので、その詳細な説明を省略する。
【００２０】
図５は、サービス情報の提供処理の処理シーケンス図である。
上述した処理と並行して、ＰＨＳサービスサーバ１６がサービス情報をＰＨＳ網１３及びＰＨＳ基地局１８−２を介して送信したとすると、ＩＰアダプタ１２−１のＰＨＳインタフェース部２４は、アンテナＡＮＴを介してＰＨＳサービス情報データを受信する（ステップＳ１１）。
【００２１】
ＰＨＳインタフェース部２４は、受信したＰＨＳ規格に則ったサービス情報データを情報変換部２７に送信する（ステップＳ１２）。
そして、情報変換部２７は、サービス情報データを受信する（ステップＳ１３）。
これにより、情報変換部２７のＰＨＳサービス情報解析部３１は、受信したサービス情報の内容を抽出、解析し、変換に必要となる一または複数の個別制御部３２を特定し、特定した個別制御部３２に対して受信したサービス情報データの少なくとも一部を出力する。
【００２２】
これにより各個別制御部は、入力されたサービスデータを表示情報データあるいは音声情報（スピーカ出力情報）データなどに変換して（ステップＳ１４）、端末指示部３３に出力する。
端末指示部３３は、個別制御部３２により変換された表示情報データあるいは音声情報データに基づいてＩＳＤＮインタフェース部２５に対して表示指示データあるいは音声出力指示データを指示データとして出力して指示を行う（ステップＳ１５）。
【００２３】
端末指示部３３の指示データの出力と並行して、ＩＳＤＮインタフェース部２５は、ＩＰインタフェース部２１からスイッチ２６を介してＩＳＤＮ端末装置１７−２１からのＩＰデータを受信している（ステップＳ１６）。
【００２４】
これらにより、ＩＳＤＮインタフェース部２５は、端末指示部３３からの指示データに基づいて、ディスプレイ４１への表示データ及び図示しない音声出力回路への音声データを生成する（ステップＳ１７）。
そして、ＩＳＤＮインタフェース部２５は、生成した表示データ及び音声データ並びに受信したＩＰデータに対応するＩＳＤＮ端末装置１７−１１が処理可能な信号をＩＳＤＮ端末装置１７−１１に出力するＩＳＤＮインタフェース動作を行う（ステップＳ１８）。
【００２５】
図６は、ＰＨＳサービス情報表示状態におけるＩＳＤＮ端末装置１７−１１の外観図である。
上述したように、ＩＳＤＮ端末装置１７−１１とＩＳＤＮ端末装置１７−２１とが通話可能な状態となると、ＩＳＤＮ端末装置１７−１１のディスプレイ４１には、ＩＳＤＮ端末装置１７−１１の図示しないコントローラにより、ディスプレイ４１のＩＳＤＮ情報表示領域５１には通話中の表示がなされる。すなわち、図６の例の場合、ディスプレイ４１のＩＳＤＮ情報表示領域５１には「０３−３３４−ＸＸＸＸ  ツウワチュウ」の文字列が表示されることとなる。
【００２６】
さらにディスプレイ４１のＰＨＳサービス情報表示領域５２には、当該時点で受信している日付・曜日情報（図６の例の場合、「１２月２４日土曜日」）、天気、最低気温、最高気温、湿度などの天気予報情報（図６の例の場合、「東京晴れ  ４℃／７℃／２０％」、ニュース情報（図６の例の場合、「政府は、２３日午後に……」）が表示されることとなる。
【００２７】
次に、ＩＰ網１１への接続に障害が発生しており、ＰＨＳサービスサーバ１６がサービス情報を提供している場合について説明する。
ユーザＡがＩＳＤＮ端末装置１７−１１を用いて発呼操作を行うと、ＩＰアダプタ１２−１のＩＳＤＮインタフェース部２５に当該発呼操作に対応するデータ（通話先等を特定するデータ）が入力される。
【００２８】
このとき、障害検出部２２は、ＩＰインタフェース部２１の通信状態に基づいてＩＰ網１１において通信ができなくなる通信障害が発生していることを検出することとなる。
したがって、障害検出部２２は、迂回指示信号ｂｙｐを迂回時状態とする。これにより、スイッチ２６は、迂回指示信号ｂｙｐに基づいて、迂回時であるので、ＩＰインタフェース部２１をＩＳＤＮインタフェース部２５から切り離し、ＰＨＳインタフェース部２４をＩＳＤＮインタフェース部２５に接続する。
【００２９】
したがって、発呼操作に対応するＩＳＤＮインタフェース部２５の出力データは、スイッチ２６を介して、ＰＨＳインタフェース部２４に出力される。
この結果、ＰＨＳインタフェース部２４は、アンテナＡＮＴを介してＰＨＳ基地局１８−２と通信を開始する。
【００３０】
そして、ＰＨＳインタフェース部２４は、ＰＨＳ網１３を介したＩＳＤＮ端末装置１７−２１との通信をＰＨＳ基地局１８−２に対して要求する。
これにより、ＰＨＳ基地局１８−２とＰＨＳ網１３とは、共働して、ゲートウェイサーバ１４、ＩＰ網１１及びＩＰアダプタ１２−２を介してＩＳＤＮ端末装置１７−２１がＩＳＤＮ端末装置１７−２１と通信を行えるように通信経路を確立する処理を行う。
【００３１】
この結果、ＩＳＤＮインタフェース部２５の出力データである制御データ及び音声信号をＰＨＳインタフェース部２４により、ＰＨＳ規格に準拠したデータフォーマットの通信データに変換されて、ＰＨＳ基地局１８−２及びＰＨＳ網１３を介して、ゲートウェイサーバ１４に送信される。
【００３２】
この結果、ゲートウェイサーバ１４は、ＰＨＳ規格に準拠したデータフォーマットの通信データをＩＰアダプタ１２−２を送信先とするパケットデータに変換し、ＩＰ網１１を介して送信する。
これによりＩＰ網１１に属している図示しないＩＰ電話サーバは、受信したパケットデータを参照して、接続先のＩＳＤＮ端末装置１７−２１が接続されているＩＰアダプタ１２−２を特定して、パケットデータを転送する。
そして、ＩＰアダプタ１２−２のＩＰインタフェース部２１は、ＩＰ網１１との間の通信インタフェース動作を行い、受信した複数のパケットデータを並べ替えるとともに、デパケット化して、ＩＳＤＮインタフェース部２５で処理可能なデータ形式の受信データとする。
【００３３】
さらに、ＩＰインタフェース部２１は、スイッチ２６を介して、受信データをＩＳＤＮインタフェース部２５に出力する。
ＩＳＤＮインタフェース部２５は、受信データが入力されると、受信データに基づいてＩＳＤＮ端末装置１７−２１が処理可能な信号に変換を行い出力する。
【００３４】
この結果、ＩＳＤＮ端末装置１７−１１の発呼がＩＳＤＮ端末装置１７−２１に着呼した状態となり、ユーザＡとユーザＢとは通話可能となる。
上述した通話の処理と並行して、図５に示したように、ＰＨＳサービスサーバ１６がサービス情報をＰＨＳ網１３及びＰＨＳ基地局１８−２を介して送信したとすると、ＩＰアダプタ１２−１のＰＨＳインタフェース部２４は、アンテナＡＮＴを介してＰＨＳサービス情報データを受信し（ステップＳ１１）、受信したＰＨＳ規格に則ったサービス情報データを情報変換部２７に送信する（ステップＳ１２）。
【００３５】
これにより、情報変換部２７は、サービス情報データを受信し（ステップＳ１３）、ＩＳＤＮインタフェース部２５に対して表示指示データあるいは音声出力指示データを指示データとして出力して指示を行う（ステップＳ１５）。
情報変換部２７の指示データの出力と並行して、ＩＳＤＮインタフェース部２５は、ＰＨＳインタフェース部２４からスイッチ２６を介してＩＳＤＮ端末装置１７−２１からのＩＰデータを受信している（ステップＳ１６）。
【００３６】
これらにより、ＩＳＤＮインタフェース部２５は、端末指示部３３からの指示データに基づいて、ディスプレイ４１への表示データ及び図示しない音声出力回路への音声データを生成し（ステップＳ１７）、生成した表示データ及び音声データ並びに受信したＩＰデータに対応するＩＳＤＮ端末装置１７−１１が処理可能な信号をＩＳＤＮ端末装置１７−１１に出力するＩＳＤＮインタフェース動作を行う（ステップＳ１８）。
これらの結果、ＩＳＤＮ端末装置１７−１１のディスプレイ４１には、図６に示したような情報が表示されることとなる。
【００３７】
以上の説明のように本実施形態によれば、ＩＰ網１１への接続に障害が発生している場合でも、ＰＨＳ基地局を介して迂回通信経路（バイパス通信経路）を介して、ＩＰ網１１への接続可能な通信経路を確保できるので、通信システム１０における耐障害性能を改善することができる。
さらに迂回通信経路への接続構成を利用して、ＰＨＳ網１３に接続されているＰＨＳサービスサーバからＰＨＳ端末１５−１、１５−２等に向けて提供しているＰＨＳサービスをＩＳＤＮ端末装置１７−１１、１７−１２、１７−２１、１７−２２においても利用可能となり、ユーザの利便性が向上する。
【００３８】
なお上記実施形態ではＰＨＳを想定したが、これに限らずセルラフォンシステム全般において、同様にサービスサーバを利用可能なシステムであれば、適用が可能である。上記実施形態を適用することが可能である。また現行のＰＨＳに限定されず、より多くの無線通信チャネルを備える次世代ＰＨＳに対しても上記実施形態を適用することが可能である。
【００３９】
なお、本実施形態の通信中継装置で実行される制御プログラムは、ＲＯＭ等に予め組み込まれて提供される。
本実施形態の通信中継装置で実行される制御プログラムは、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録して提供するように構成してもよい。
【００４０】
さらに、本実施形態の通信中継装置で実行される制御プログラムを、インターネット等のネットワークに接続されたコンピュータ上に格納し、ネットワーク経由でダウンロードさせることにより提供するように構成しても良い。また、本実施形態の〜装置で実行される〜プログラムをインターネット等のネットワーク経由で提供または配布するように構成しても良い。
【００４１】
本発明の実施形態を説明したが、この実施形態は例として提示するものであり、発明の範囲を限定することは意図していない。この新規な実施形態は、その他の様々な形態で実施されることが可能であり、発明の要旨を逸脱しない範囲で、種々の省略、置き換え、変更を行うことができる。この実施形態やその変形は、発明の範囲や要旨に含まれるとともに、特許請求の範囲に記載された発明とその均等の範囲に含まれる。
【符号の説明】
【００４２】
１０    通信システム
１１    ＩＰ網（第１通信網）
１２−１、１２−２    ＩＰアダプタ
１３    ＰＨＳ網（第２通信網、移動体通信網）
１４    ゲートウェイサーバ
１５−１、１５−２    ＰＨＳ端末
１６    ＰＨＳサービスサーバ（サービスサーバ）
１７−１１、１７−１２、１７−２１、１７−２２    ＩＳＤＮ端末装置（第１通信装置、第２通信装置）
１８    ＰＨＳ基地局
２１    ＩＰインタフェース部（第１通信手段）
２２    障害検出部（切替手段）
２３    迂回指示部（切替手段）
２４    ＰＨＳインタフェース部（第２通信手段）
２５    ＩＳＤＮインタフェース部
２６    スイッチ（切替手段）
２７    情報変換部（情報出力手段、情報付加手段）
３１    ＰＨＳサービス情報解析部（情報出力手段、情報付加手段）
３２    個別制御部（情報出力手段、情報付加手段）
３３    端末指示部（情報出力手段、情報付加手段、指示手段）
４１    ディスプレイ
５１    ＩＳＤＮ情報表示領域
５２    ＰＨＳサービス情報表示領域
ｂｙｐ  迂回指示信号
【図１】
2013183424.tif 000003
【図２】
2013183424.tif 000004
【図３】
2013183424.tif 000005
【図４】
2013183424.tif 000006
【図５】
2013183424.tif 000007
【図６】
2013183424.tif 000008